(57)【要約】【課題】  遊技球の計数作業を効率的に行うことが可能な弾球遊技機（パチンコ機）を提供する。【解決手段】  本発明においては、固定保持用の外枠２０と、外枠２０の開放空間を覆って装着される前枠３０と、前枠３０の前面側に入賞具３８を備えて取り付けられた遊技盤３５と、遊技球を発射する発射装置と、前枠３０に取り付けられて入賞時に払い出される遊技球を貯留する上球皿装置４０および下球皿装置５０とを有して構成されるパチンコ機ＰＭにおいて、外枠２０に前枠３０が装着された状態で前枠３０より下側において前面に露出する幕板２５が外枠２０に設けられており、幕板２５に、下球皿装置５０から排出された遊技球を受容するとともにパチンコ機ＰＭの背面側に排出させるための排出球ガイド装置７０と、排出球ガイド装置７０によりパチンコ機ＰＭの背面側に排出される遊技球の数を計数する計数装置８０が設けられている。【選択図】  図５
2005287864.tif 000002
【特許請求の範囲】
【請求項１】
固定保持用の外枠と、前記外枠の開放空間を覆って装着される前枠と、前記前枠の前面側に入賞装置を備えて取り付けられた遊技盤と、前記前枠に取り付けられて前記遊技盤の前面の遊技領域内に遊技球を発射する発射装置と、前記前枠に取り付けられて前記発射装置から発射された遊技球が前記遊技領域内で入賞したときに払い出される遊技球を貯留する球皿とを有して構成される弾球遊技機において、
前記外枠に前記開放空間を覆って前記前枠が装着された状態で、前記前枠より下側において前面に露出する幕板部が前記外枠に設けられており、
前記幕板部に、前記球皿から排出された遊技球を受容するとともに遊技機の背面側に排出させるための排出球ガイド装置と、前記排出球ガイド装置により前記遊技機の背面側に排出される遊技球の数を計数する計数装置が設けられていることを特徴とする弾球遊技機。
【請求項２】
前記計数装置により計数された遊技球の数を表示する表示装置が前記幕板部に設けられていることを特徴とする請求項１に記載の弾球遊技機。
【発明の詳細な説明】
【技術分野】
【０００１】
本発明は、固定保持用の外枠の開放空間を覆って前枠が装着され、この前枠の前面側に入賞装置を備えて遊技盤が取り付けられ、この遊技盤の前面の遊技領域内に遊技球を発射する発射装置が前枠に設けられ、発射装置から発射された遊技球が遊技領域内で入賞したときに払い出される遊技球を球皿に貯留するように構成される弾球遊技機に関する。
【背景技術】
【０００２】
このような弾球遊技機として、例えば、特許文献１に開示のパチンコ機があり、一般的にこのようなパチンコ機は遊技ホール内の遊技島に多数整列配置されて遊技に供される。遊技ホールにおいて遊技者は、遊技島に多数整列配置されたパチンコ機のうちから任意のパチンコ機を選択し、遊技球を購入した後にこの遊技球を発射装置により遊技領域内に発射して、遊技領域内で遊技球を入賞装置に入賞させる遊技を楽しむようになっている。この遊技において、入賞装置に遊技球が入賞するのに応じて所定の数の遊技球が賞球として球皿に排出されて貯留されるようになっており、遊技者は球皿に貯留した遊技球を遊技ホールが提供する景品と交換できるようになっている。
【０００３】
遊技球を景品と交換する際、遊技球を獲得した遊技球の数に応じて種々の景品と交換することが可能であるが、このとき、遊技球の計数作業は遊技ホール内に設置された計数機を用いて行われる。なお、計数機に計数された遊技球は回収されて、遊技ホール内の搬送手段によりパチンコ機へ戻されるようになっている。
【０００４】
【特許文献１】特許第３２５６８５５号公報
【発明の開示】
【発明が解決しようとする課題】
【０００５】
しかしながら、遊技球の計数作業を行うには、球皿に貯留された遊技球を球容器（ドル箱とも称される）に移して計数機の設置箇所まで運搬する必要があり、球容器（ドル箱）の運搬が遊技者にとって重労働となっていた。また、球容器の運搬時において、遊技球が球容器からこぼれ落ち、遊技者が損をするおそれがあった。
【０００６】
本発明はこのような問題に鑑みたもので、遊技球の計数作業を効率的に行うことが可能な弾球遊技機（パチンコ機）を提供することを目的とする。
【課題を解決するための手段】
【０００７】
このようなことから、本発明に係る弾球遊技機は、固定保持用の外枠と、外枠の開放空間を覆って装着される前枠と、前枠の前面側に入賞装置（例えば、実施形態における入賞具３８）を備えて取り付けられた遊技盤と、前枠に取り付けられて遊技盤の前面の遊技領域内に遊技球を発射する発射装置と、前枠に取り付けられて発射装置から発射された遊技球が遊技領域内で入賞したときに払い出される遊技球を貯留する球皿（例えば、実施形態における上球皿装置４０および下球皿装置５０）とを有して構成される弾球遊技機（例えば、実施形態におけるパチンコ機ＰＭ）において、外枠に開放空間を覆って前枠が装着された状態で、前枠より下側において前面に露出する幕板部（例えば、実施形態における幕板２５）が外枠に設けられており、幕板部に、球皿から排出された遊技球を受容するとともに遊技機の背面側に排出させるための排出球ガイド装置と、排出球ガイド装置により遊技機の背面側に排出される遊技球の数を計数する計数装置が設けられている。
【０００８】
この構成の弾球遊技機において、計数装置により計数された遊技球の数を表示する表示部が幕板部に設けられていることが好ましい。
【発明の効果】
【０００９】
上記構成の本発明に係る弾球遊技機によれば、幕板部に、球皿から排出された遊技球を受容するとともに遊技機の背面側に排出させるための排出球ガイド装置と、排出球ガイド装置により遊技機の背面側に排出される遊技球の数を計数する計数装置が設けられているため、排出球ガイド装置により球皿に貯留された遊技球を遊技機の背面側、すなわち遊技島の内部に排出させるとともに、遊技機の背面側に排出される遊技球の数を計数装置により計数することで、球皿に貯留された遊技球を容易に計数しつつ回収することができる。そのため、遊技球を計数する際に球容器（ドル箱）による遊技球の運搬作業が不要となることから、遊技球の計数作業を効率的に行うことができる。
【００１０】
また、計数装置により計数された遊技球の数を表示する表示装置が幕板部に設けられることで、計数装置により計数された遊技球の数を容易に視認することができる。
【発明を実施するための最良の形態】
【００１１】
以下、図面を参照して本発明の好ましい実施形態について説明する。まず、図１〜図３に遊技ホールにおけるパチンコ機ＰＭの配置構成を示しており、遊技ホール内においては、複数列に並んで多数のパチンコ機ＰＭが配設されて遊技に供されるようになっている。このようにパチンコ機ＰＭを整列配置する構造物を一般的に遊技島と称しており、パチンコ機ＰＭを背中合わせに２列に並んで配置する両列島形式と、壁に背を向けるように１列に並んで配置する壁島形式とがあるが、ここでは両列島形式の遊技島構造を示している。
【００１２】
この両列遊技島構造は、背中合わせに配置されて間に球回収空間５を形成する一対の島構造体１０，１０を有し、各島構造体１０は、天井側から順に配設された、島幕板１１と、呼び出しランプ１２ａを有したランプ板１２と、パチンコ機ＰＭを横に１列に並んで配設する保持枠１３と、球箱載せ台となる天板１４と、腰板１５と、床面に接する巾木１６とからなり、上下に延びた状態に構成される。遊技ホール内には、このような両列遊技島構造が複数列並んで配設され、さらに、壁際には壁遊技島構造が配設されており、各遊技島構造の間に遊技者等が通る通路スペース１が形成される。
【００１３】
なお、通路スペース１の床面には、各パチンコ機ＰＭの前側に位置して支柱１８により支持されたシート１７が設けられており、遊技者はシート１７に座ってその前面のパチンコ機ＰＭを操作して遊技を行うようになっている。また、球回収空間５内には、後述するように遊技中において入賞せずにアウト口に入り込んだアウト球をホール側に回収するための、回収通路６が設けられている。この回収通路６は各パチンコ機ＰＭから排出された球Ｂ（アウト球）を一方の側に集めて回収できるように、遊技島構造の列が延びる方向のいずれか一方側に傾斜しており、回収通路６内に落下した球Ｂがこの傾斜に沿っていずれか一方側に転がって集まるようになっている。
【００１４】
次に、島構造体１０の保持枠１３に保持されて取り付けられるパチンコ機ＰＭの構成について簡単に説明する。パチンコ機ＰＭは、外郭方形枠サイズに構成されて縦向きの固定保持枠をなす外枠２０の前面開口（開放空間）に、これに合わせた方形枠サイズに構成されて開閉搭載用の前枠３０が前面左側のヒンジ機構３１により横開き開閉および着脱が可能に取り付けられ、施錠装置３２により常には外枠２０の前面を覆った閉止状態で保持される。
【００１５】
上記外枠２０は、木材や樹脂等で成形加工された複数本の定形尺の枠部材すなわち上下の枠板２１，２４および左右の枠板２２，２３を直角に枠組み連結するとともに、各隅角部に補強金具を固定して構成されており、保持枠１３内に固定される。下枠板２４の前面は左右の枠板２２，２３より前方に突出し、その突出部の上面に位置するとともに左右の枠板２２，２３の前面に連結されて左右に延びる幕板２５が取り付けられている。
【００１６】
前枠３０の前面上部側には、透明アクリル板やガラス板を有したガラス扉３３が左端部のヒンジ（図示せず）を介して横開きおよび着脱が自在に取り付けられ、施錠装置３２により常には前枠３０の前面を覆う閉止状態に保持される。ガラス扉３３の背後に位置する前枠上部には、遊技盤３５を着脱自在に収容する収容枠が設けられており、この収容枠に立設姿勢で係止保持された遊技盤３５がガラス扉３３を通して視認されるようになっている。遊技盤３５は、所定板厚の積層合板の表面にセルを貼り付けてルーター加工した化粧板を基板とし、円弧状のレール３６に囲まれて略円形状の遊技領域ＰＡが形成されている。遊技領域ＰＡには多数本の遊技釘（図示せず）や風車とともに各種の入賞具３８、遊技の展開状況に応じた図柄を表示させる画像表示装置３７、サイドランプ等の遊技構成部品が取り付けられ、下端部にアウト口３９が設けられている。
【００１７】
前枠３０の前面における上記ガラス扉３３の下側には、上球皿装置４０が左端のヒンジ機構により横開きおよび着脱可能に取り付けられ、常にはガラス扉３３の下側において前枠３０の前面を覆った状態で係止保持されている。この上球皿装置４０には、前方に突出して形成され、遊技中に払い出される入賞球を受容して貯留する上球皿部４１が設けられている。なお、詳細図示しないが、上球皿部４１に前面側が覆われた前枠２の下部領域には遊技補助盤と称される補助機構部が形成されており、この遊技補助盤の各部に、遊技盤３５の遊技領域ＰＡ内に遊技球を発射する発射装置や、スピーカ等が設けられている。
【００１８】
さらに、図４に示すように、前枠３０の前面における上球皿装置４０の下側に下球皿装置５０が前方に突出して設けられている。この下球皿装置５０は、上球皿部４１内に貯留された入賞球がオーバーフローしたときや、遊技者が上球皿装置４０の球排出レバー４２（図１参照）を操作して上球皿部４１から入賞球が排出されたときに内部に形成された球皿通路を介して送られてくる入賞球を受容して貯留する下球皿部５１と、下球皿部５１の右側に位置して遊技球の発射操作を行う発射ハンドル４５と、下球皿部５１の左側に位置する灰皿５８とから構成されている。
【００１９】
図５から分かるように、下球皿部５１内の底面には球排出孔５１ａが形成されており、この球排出孔５１ａを下面側から開閉自在に覆う球抜き蓋５３が左右にスライド移動可能に取り付けられている。球抜き蓋５３は図示しないバネ等により常時は球排出孔５１ａを閉止する位置に位置しており、球抜き蓋５３の前部に突出して設けられた操作レバー５３ａを操作することにより球抜き蓋５３をスライド移動させて球排出孔５１ａを開放させ、下球皿部５１内に貯留された遊技球Ｂを下方に落下させて排出させることができるように構成されている。なお、下球皿装置５０の下側に外枠２０を構成する上記幕板２５が前面側に露出して位置している。
【００２０】
前枠３０の裏面側には、球貯留タンク６１、球貯留タンク６１から供給された遊技球を落下移動させつつ整列させるタンクレール６２、遊技盤３５における入賞状態等に基づいてタンクレール６２を通ってタンク６１から供給される遊技球を賞球として上球皿装置４０に払い出す球払出装置６３、遊技中での各種制御を行うための電源基板６４、主基板６５、画像表示装置３７の裏面側に位置して画像表示制御を行う画像制御基板６６等が図示のように配設されている。なお、図示していないが、内部には、球払出装置６３から払い出された賞球を上球皿部４１に導く賞球通路や、遊技中において遊技盤３５の入賞具３８に入賞することなく落下してアウト口３９に入り込んだ遊技球をパチンコ機ＰＭの背面側に導くアウト球通路が設けられている。このアウト球通路に導かれたアウト球はパチンコ機ＰＭの背面に開口したアウト球排出口３９ａから球回収空間５に排出され、回収通路６上に落下し、回収通路６上を転がって移動して、回収される。
【００２１】
以上のように概略構成されるパチンコ機ＰＭにおいて、幕板２５に本発明に係る球排出ガイド装置７０および計数装置８０が設けられており、これら球排出ガイド装置７０および計数装置８０について、図４および図５を参照しながら説明する。球排出ガイド装置７０は、幕板２５の前面側における上部中央に取り付けられた球排出ガイド部材７１から構成される。球排出ガイド部材７１は、ＡＢＳ樹脂やポリカーボネート（ＰＣ）等の樹脂材料を用いて、射出成形等の成形手段により箱状に形成され、その内部に上面および後面側に開口を有する球排出空間７５が形成される。球排出ガイド部材７１の底面壁７２は、図５に示すように、後方へ向かって下方に傾斜して幕板２５の前面まで延びており、底面壁７２に落下した遊技球Ｂが重力の作用により後方へ転がるようになっている。
【００２２】
球排出ガイド部材７１の上部開口７３は、下球皿部５１の球排出孔５１ａと位置整合するように形成されており、球排出孔５１ａを通過した遊技球Ｂがこの上部開口７３を通過して球排出空間７５に達するようになっている。球排出ガイド部材７１の後部開口７４は、遊技球Ｂより若干大きい径を有して、幕板２５に形成される通過溝２６とほぼ接するように形成されており、底面壁７２を転がってきた遊技球Ｂが１球ずつ後部開口７４を通過して通過溝２６（すなわち、球排出ガイド装置７０の背面側）に排出されるようになっている。また、詳細図示しないが、球排出ガイド部材７１の後部には、後部開口７４に繋がる排出部７６が（球排出ガイド部材７１の前部から）後部開口７４に向かうにつれて幅が狭まるように形成されており、底面壁７２を転がる遊技球Ｂが後部開口７４へ滑らかに導かれるようになっている。
【００２３】
計数装置８０は、図５に示すように、球排出ガイド装置７０から排出された遊技球を検出する遊技球検出センサ８１と、遊技球検出センサ８１に検出された遊技球の計数を行う制御部８２（図６を参照）とを主体に構成される。遊技球検出センサ８１は、幕板２５の通過溝２６に位置して球排出ガイド部材７１の後部開口７４に取り付けられており、後部開口７４を通過して排出された遊技球を１球ずつ検出し、その検出信号を制御部８２に出力するようになっている。
【００２４】
制御部８２は、図６に示すように、遊技球検出センサ８１と、表示装置９０と、磁気カードライタ９５と電気的に接続され、遊技球検出センサ８１から入力された遊技球の検出信号を計数（積算）し、計数した数値を表示装置９０および磁気カードライタ９５へ出力するように構成される。表示装置９０は、図１および図４に示すように、幕板２５の左側に配設されており、制御部８２から送信された表示信号を受けて、制御部８２が計数した数値、すなわち計数装置８０により計数された遊技球の数を表示するようになっている。これにより、計数装置８０に計数された遊技球の数を容易に視認することができる。
【００２５】
磁気カードライタ９５は、図示しない磁気カードが挿抜可能に構成されており、制御部８２から送信された書き込み信号を受けて、計数装置８０により計数された遊技球の数を磁気カードに書き込むことができるようになっている。また、磁気カードライタ９５は、磁気カードライタ９５に対し磁気カードが挿入および抜去されると、（磁気カードの）挿入信号および抜去信号を制御部８２へ出力するようになっている。なお、磁気カードライタ９５は、パチンコ機ＰＭ（幕板２５等）に設けられてもよく、島構造体１０（保持枠１３等）に設けられてもよい。
【００２６】
なお、図５に示すように、幕板２５の上部中央には通過溝２６が形成されており、球排出ガイド装置７０から排出された遊技球Ｂがこの通過溝２６を通過してパチンコ機ＰＭの背面側へ導かれるようになっている。また、上面が後方へ向かって下方に傾斜する球流下部材２７が幕板２５の背面側に隣接して取り付けられており、通過溝２６を通過して球流下部材２７の上に落下した遊技球Ｂが重力の作用により後方へ転がり移動し、パチンコ機ＰＭ背面側の球回収空間５に排出されて回収通路６（図３を参照）上に落下するようになっている。さらに、図２に示すように、球流下部材２７の左右に隣接して球流下ガイド部材２８が取り付けられており、球流下部材２７の上を転がる遊技球が左右へ（下枠板２４の上へ）落ちないようになっている。
【００２７】
以上のように構成されるパチンコ機ＰＭにおいて、遊技球の計数作業を行うには、上球皿装置４０の排出レバー４２を操作して上球皿部４１内に貯まった遊技球を下球皿部５１内に送り出し、さらに、下球皿装置５０の操作レバー５３ａを操作して下球皿部５１内に貯まった遊技球を球排出孔５１ａから排出させる。そうすると、図５に示すように、球排出孔５１ａを通過した遊技球Ｂは、球排出ガイド装置７０に構成される球排出ガイド部材７１の上部開口７３を通過して球排出空間７５内に（受容され）落下し、底面壁７２上を後方へ転がり移動したのち下部開口７４を通過して球排出ガイド装置７０の背面側に排出される。そして、球排出ガイド装置７０から排出された遊技球Ｂは、幕板２５の通過溝２６を通過して球流下部材２７上を後方へ転がり移動し、パチンコ機ＰＭ背面側の球回収空間５に排出されて回収通路６（図３を参照）上に落下し、回収通路６上を転がって移動し回収される。
【００２８】
このとき、球排出ガイド部材７１の下部開口７４を通過して排出された遊技球Ｂは、計数装置８０の遊技球検出センサ８１により１球ずつ検出され、図６に示すように、その検出信号が計数装置８０の制御部８２に出力される。そうすると、制御部８２は、遊技球検出センサ８１から入力された遊技球の検出信号を計数（積算）し、表示装置９０に表示信号を出力して、制御部８２が計数した数値、すなわち計数装置８０により計数された遊技球の数を表示させる制御を行う。これにより、計数装置８０により計数された遊技球の数が表示装置９０に表示される。
【００２９】
また、磁気カードライタ９５に磁気カード（図示せず）が挿入されると、（磁気カードの）挿入信号が磁気カードライタ９５から制御部８２へ出力される。そうすると、制御部８２は、磁気カードライタ９５に書き込み信号を送信し、計数装置８０に計数された遊技球の数を磁気カードに書き込ませる制御を行う。これにより、磁気カードライタ９５に磁気カードが挿入されると、計数装置８０に計数された遊技球の数が磁気カードに書き込まれる。このようにして、計数装置８０に計数された遊技球の数が書き込まれた磁気カードは、磁気カードライタ９５から抜去されて遊技ホールのカウンター（図示せず）に持ち運ばれ、獲得した（計数された）遊技球の数に応じて遊技球が種々の景品と交換される。
【００３０】
なお、磁気カードライタ９５から磁気カードが抜去されると、（磁気カードの）抜去信号が磁気カードライタ９５から制御部８２へ出力される。そうすると、制御部８２は計数した数値を零とし、表示装置９０に表示信号を出力して零を表示させる制御を行う。これにより、計数装置８０により計数された遊技球の数が零に戻される（リセットされる）。
【００３１】
このため、以上のような構成のパチンコ機ＰＭによれば、幕板２５に、下球皿装置５０（球皿）から排出された遊技球を受容するとともにパチンコ機ＰＭの背面側に排出させるための排出球ガイド装置７０と、排出球ガイド装置７０によりパチンコ機ＰＭの背面側に排出される遊技球の数を計数する計数装置８０が設けられているため、排出球ガイド装置７０により下球皿装置５０に貯留された遊技球をパチンコ機ＰＭの背面側、すなわち遊技島の内部に排出させるとともに、パチンコ機ＰＭの背面側に排出される遊技球の数を計数装置８０により計数することで、下球皿装置５０に貯留された遊技球を容易に計数しつつ回収することができる。そのため、遊技球を計数する際に球容器（ドル箱）による遊技球の運搬作業が不要となることから、遊技球の計数作業を効率的に行うことができる。
【００３２】
また、計数装置８０により計数された遊技球の数を表示する表示装置９０が幕板２５に設けられることで、計数装置８０により計数された遊技球の数を容易に視認することができる。
【００３３】
なお、磁気カードの挿入、抜去、書き込み時や、パチンコ機ＰＭによる遊技時には、新たに遊技球が計数されないように、下球皿装置５０の球抜き蓋５３で球排出孔５１ａを閉止させておくことが好ましい。そのため、下球皿装置５０に球排出孔５１ａが閉止状態であるか否かを検出する開閉検出センサ（図示せず）を設け、開閉検出センサにより球排出孔５１ａが閉止状態である状態が検出された場合に限り、磁気カードの挿入、抜去、書き込みや、パチンコ機ＰＭによる遊技等を許可する制御を行うようにしてもよい。
【００３４】
また、上述の実施形態において、上球皿装置４０と下球皿装置５０とを有したパチンコ機を例にして示したが、これに限られるものではなく、一体型の一つの球皿を有したパチンコ機についても本発明を適用できることは無論である。
【００３５】
さらに、上述の実施形態において、計数装置８０に計数された遊技球の数を磁気カードライタ９５により磁気カードに書き込んで出力しているが、これに限られるものではなく、ＩＣカードライタを用いてＩＣカードに書き込むようにしてもよく、プリンターを用いて紙等に印刷するようにしてもよい。
【００３６】
また、上述の実施形態において、パチンコ機ＰＭに球貸し出し装置を設け、計数装置８０に計数された遊技球の数を上限として、球貸し出し装置により遊技球を貸し出して再び遊技を行うことができるようにしてもよい。このようにすれば、遊技球の計数時に端数が計数されてしまっても、球貸し出し装置により端数分だけ遊技球を貸し出して再び遊技を行うことができ、遊技点の景品交換数に合わせた端数の遊技球の有効利用を図ることができる。
【００３７】
さらに、上述の実施形態において、箱状の球排出ガイド部材７１からなる排出球ガイド装置７０が幕板２５に設けられているが、このような形態に限られるものではない。例えば、図７に示すように、幕板２５に排出空間１８１を形成し、この排出空間１８１に対し下球皿部５１の球排出孔から排出された遊技球を受容してパチンコ機の背面側に導く排出球ガイド装置１８０を着脱自在に取り付けるとともに、排出球ガイド装置１８０を取り外したときには排出空間１８１を閉塞部材（図示せず）で塞ぐようにしてもよい。
【００３８】
また、図８に示すように、幕板２５に排出空間１９１を形成し、下球皿部５１の球排出孔から排出された遊技球を受容し排出空間１９１に通過させてパチンコ機の背面側に導く球排出位置と、排出空間１９１を前面側から塞ぐ閉塞位置とに前後へスライド移動可能な排出球ガイド装置１９０を幕板２５に取り付けるようにしてもよい。さらに、図９に示すように、球排出位置と閉塞位置との間を上下に揺動可能な排出球ガイド装置１９５を幕板２５に取り付けるようにしてもよく、図１０に示すように、球排出位置と閉塞位置との間を左右に揺動可能な排出球ガイド装置１９６を幕板２５に取り付けるようにしてもよい。
【００３９】
また、図１１に示すように、幕板２０５を、前枠３０より下面側における外枠３０の前面を覆う閉塞位置と、閉塞位置から前方に移動した開放位置とに前後へスライド移動可能に構成し、このような幕板２０５の後面に、幕板２０５が開放位置に位置したときに下球皿部５１の球排出孔から排出された遊技球を受容してパチンコ機の背面側に導く排出球ガイド装置２００を取り付けるようにしてもよい。さらに、図１２に示すように、幕板２１５を閉塞位置と開放位置との間で前後へ揺動可能に構成し、このような幕板２１５の後面に、幕板２１５が前方に揺動して開放位置に位置したときに下球皿部５１の球排出孔から排出された遊技球を受容してパチンコ機の背面側に導く排出球ガイド装置２１０を取り付けるようにしてもよい。
【００４０】
また、図１３に示すように、幕板２５の前面側に下球皿部５１の球排出孔から排出された遊技球を受容してパチンコ機の背面側に導く排出球ガイド装置２２０を設け、この排出球ガイド装置２２０に、排出球ガイド装置２２０で受容された遊技球を、パチンコ機の背面側に導く（図１３の二点鎖線を参照）か、球排出装置２２０の底部開口２２１からパチンコ機の前面側へ下方に排出させるか（図１３の実線を参照）を切り替える排出切り替え装置２２５を設けるようにしてもよい。
【図面の簡単な説明】
【００４１】
【図１】本発明に係るパチンコ機（弾球遊技機）を有して構成される遊技島構造を示す正面図である。
【図２】上記遊技島構造の背面図である。
【図３】上記遊技島構造の側面図である。
【図４】上記パチンコ機の下部を示す正面図である。
【図５】球排出ガイド部材を取り付けた状態の上記パチンコ機の下部を図４の矢印Ｖ−Ｖに沿って示す断面図である。
【図６】計数装置の電気的接続を示すブロック図である。
【図７】排出球ガイド装置の第１の変形例を示す右側面図（部分断面図）である。
【図８】排出球ガイド装置の第２の変形例を示す右側面図（部分断面図）である。
【図９】排出球ガイド装置の第３の変形例を示す右側面図（部分断面図）である。
【図１０】排出球ガイド装置の第４の変形例を示す右側面図（部分断面図）である。
【図１１】排出球ガイド装置の第５の変形例を示す右側面図（部分断面図）である。
【図１２】排出球ガイド装置の第６の変形例を示す右側面図（部分断面図）である。
【図１３】排出球ガイド装置の第７の変形例を示す右側面図（部分断面図）である。
【符号の説明】
【００４２】
ＰＭ  パチンコ機（弾球遊技機）
ＰＡ  遊技領域
２０  外枠
２５  幕板（幕板部）
３０  前枠
３８  入賞具（入賞装置）
４０  上球皿装置（球皿）
５０  下球皿装置（球皿）
５１  下球皿部
５１ａ  球排出孔
５３  球抜き蓋
５３ａ  操作レバー
７０  球排出ガイド装置
７１  球排出ガイド部材
８０  計数装置
８１  遊技球検出センサ
８２  制御部
９０  表示装置
１８０  排出球ガイド装置（第１の変形例）
１９０  排出球ガイド装置（第２の変形例）
１９５  排出球ガイド装置（第３の変形例）
１９６  排出球ガイド装置（第４の変形例）
２００  排出球ガイド装置（第５の変形例）
２１０  排出球ガイド装置（第６の変形例）
２２０  排出球ガイド装置（第７の変形例）
【図１】
2005287864.tif 000003
【図２】
2005287864.tif 000004
【図３】
2005287864.tif 000005
【図４】
2005287864.tif 000006
【図５】
2005287864.tif 000007
【図６】
2005287864.tif 000008
【図７】
2005287864.tif 000009
【図８】
2005287864.tif 000010
【図９】
2005287864.tif 000011
【図１０】
2005287864.tif 000012
【図１１】
2005287864.tif 000013
【図１２】
2005287864.tif 000014
【図１３】
2005287864.tif 000015